(57)【要約】【課題】撮像ユニットと携帯型プリンタとからなるプリントシステムを使い勝手の良いものとする。【解決手段】撮像ユニット３と携帯型プリンタ４とを必要に応じて着脱自在にする。撮像ユニット３を装着すると、撮像ユニット３と携帯型プリンタ４とが電気的に接続する。携帯型プリンタ４にはグリップ２０を設け、携帯型プリンタを把持して撮影を行うことができるようにする。また、レリーズボタン１０をＵＳＢコネクタ５が設けられた位置のほぼ反対側に設け、撮像ユニット３の姿勢が不安定になることを防止する。【選択図】図７
2007111905.tif 000002
【特許請求の範囲】
【請求項１】
撮影レンズ及び撮像素子を備えた撮像ユニットと、この撮像ユニットを着脱自在に装着することに伴って撮像ユニットとの間で電気的に接続される携帯型プリンタとから構成され、
前記撮像ユニットと前記携帯型プリンタとのいずれか一方に設けられ、前記撮像ユニットの装着に伴って有効化されるとともに、前記携帯型プリンタを把持した状態で操作されるレリーズボタンと、
前記レリーズボタンの操作に応答して前記撮像素子により画像データを取得し、この画像データに基づいて前記携帯型プリンタ内に収納された記録媒体上に画像を記録する制御手段とを有することを特徴とするプリントシステム。
【請求項２】
前記携帯型プリンタには撮影時に把持するためのグリップ部が設けられており、このグリップ部は、把持した状態で人差し指が前記レリーズボタンに届くようにして配置されていることを特徴とする請求項１記載のプリントシステム。
【請求項３】
前記撮像ユニットにはファインダが設けられており、このファインダは、前記撮影レンズに対し、装着された前記撮像ユニットの前記グリップ部に近い側に位置するように配置されていることを特徴とする請求項２記載のプリントシステム。
【請求項４】
前記撮像ユニットには接続部が設けられ、この接続部を前記携帯型プリンタの被接続部に挿入することで前記撮像ユニットが装着されるようになっており、前記レリーズボタンは前記撮像ユニットの前記接続部が設けられた面とは反対側の面に設けられていることを特徴とする請求項１記載のプリントシステム。
【請求項５】
前記撮像ユニットの装着時に被写体側となる前面において、前記撮像ユニットの前面が前記携帯型プリンタの前面に対して突出するようにされていることを特徴とする請求項１記載のプリントシステム。
【請求項６】
前記携帯型プリンタには、前記撮像ユニットの装着時に前記撮像ユニットの接続部が挿入される被接続部が設けられるとともに、この被接続部を覆う第１位置、及び前記被接続部を露呈する第２位置の間で移動するカバーが設けられており、このカバーは前記第２位置では、前記携帯型プリンタの被写体側となる前面に対して前方に突出するようにされていることを特徴とする請求項１記載のプリントシステム。
【請求項７】
撮影レンズ及び撮像素子を備えた撮像ユニットが着脱自在に装着され、この装着に伴って前記撮像ユニットとの間で電気的に接続される携帯型プリンタであって、
前記携帯型プリンタを把持した状態で前記撮像ユニットに設けられたレリーズボタンを操作したときに、この操作に応答して前記撮像素子により被写体画像の画像データを取得し、この画像データに基づいて前記携帯型プリンタ内に収納された記録媒体上に画像を記録する制御手段を備えたことを特徴とする携帯型プリンタ。
【請求項８】
撮影レンズ及び撮像素子を備え、携帯型プリンタに着脱自在に装着することに伴って前記携帯型プリンタとの間で電気的に接続される撮像ユニットであって、
前記携帯型プリンタへの装着に伴って有効化されるとともに、前記携帯型プリンタを把持した状態で操作できるように配置されたレリーズボタンと、
前記レリーズボタンの操作に応答して前記撮像素子により被写体画像の画像データを取得し、この画像データを前記携帯型プリンタに送信する制御手段とを備えたことを特徴とする撮像ユニット。
【発明の詳細な説明】
【技術分野】
【０００１】
本発明は、撮像ユニット、携帯型プリンタ、及びこれらを組み合わせたプリントシステムに関する。
【背景技術】
【０００２】
デジタルカメラやカメラ付き携帯電話などの撮影機器とプリンタとを接続し、撮影機器で撮影した画像の画像データを直接に受信し、この画像データに基づいてプリントを行う技術が知られている（例えば、特許文献１、２参照）。この技術によれば、撮影機器の画像データをパソコンを経由せずに直接に受信することができることから、プリント作業を比較的簡単に行うことができる。
【０００３】
特に、近年では、画像データを受信してプリントを行うことができる携帯型プリンタが実用化されており、撮影機器と携帯型プリンタとを一緒にして持ち歩くことで、撮影画像をその場で写真にして確認することができるようになっている。また、画像データが携帯型プリンタに残ることから、同じ撮影画像を好きな枚数だけプリントすることができる。実用化されている携帯型プリンタとしては、赤外線通信により画像データを受信し、この画像データに基づいてプリンタ内に収納したインスタントフイルムに露光を行った後、現像剤を展開するものが知られている。
【特許文献１】特開平１１−２７５４１８号公報
【特許文献２】特開２００１−２３０９５４号公報
【発明の開示】
【発明が解決しようとする課題】
【０００４】
従来においては、撮影機器と携帯型プリンタとを用いて写真を手にするまでには、撮影機器により撮影を行うステップと、この撮影機器の画像データを携帯型プリンタに送信するステップとの２ステップが必要であった。このため、プリントする撮影画像を取捨選択することができる反面、撮影直後に即座にプリントが行われるわけではなかった。ユーザにとっては、携帯型プリンタを、従来のように使用する以外にも、撮影機能を付加してデジタル版のインスタントカメラのように使用することができると、非常に便利なものとなる。なお、近年では、撮影レンズと固体撮像素子とを備えた撮像ユニットが非常に小さく且つ安価に製造することができるようになっている。
【０００５】
本発明は、上記事情を考慮してなされたもので、撮像ユニットと携帯型プリンタとが必要に応じて着脱可能であり、撮影直後に即座にプリントを行うことができるとともに、使い勝手の良いプリントシステムを提供することを目的とする。
【課題を解決するための手段】
【０００６】
本発明のプリントシステムは、撮影レンズ及び撮像素子を備えた撮像ユニットと、この撮像ユニットを着脱自在に装着することに伴って撮像ユニットとの間で電気的に接続される携帯型プリンタとから構成され、前記撮像ユニットと前記携帯型プリンタとのいずれか一方に設けられ、前記撮像ユニットの装着に伴って有効化されるとともに、前記携帯型プリンタを把持した状態で操作されるレリーズボタンと、前記レリーズボタンの操作に応答して前記撮像素子により画像データを取得し、この画像データに基づいて前記携帯型プリンタ内に収納された記録媒体上に画像を記録する制御手段とを有することを特徴とする。
【０００７】
前記携帯型プリンタには撮影時に把持するためのグリップ部が設けられており、このグリップ部は、把持した状態で人差し指が前記レリーズボタンに届くようにして配置されていることが好ましい。
【０００８】
前記撮像ユニットにはファインダが設けられており、このファインダは、前記撮影レンズに対し、装着された前記撮像ユニットの前記グリップ部に近い側に位置するように配置されていることが好ましい。
【０００９】
前記撮像ユニットには接続部が設けられ、この接続部を前記携帯型プリンタの被接続部に挿入することで前記撮像ユニットが装着されるようになっており、前記レリーズボタンは前記撮像ユニットの前記接続部が設けられた面とは反対側の面に設けられていることが好ましい。
【００１０】
前記撮像ユニットの装着時に被写体側となる前面において、前記撮像ユニットの前面が前記携帯型プリンタの前面に対して突出するようにされていることが好ましい。
【００１１】
前記携帯型プリンタには、前記撮像ユニットの装着時に前記撮像ユニットの接続部が挿入される被接続部が設けられるとともに、この被接続部を覆う第１位置、及び前記被接続部を露呈する第２位置の間で移動するカバーが設けられており、このカバーは前記第２位置では、前記携帯型プリンタの被写体側となる前面に対して前方に突出するようにすることが好ましい。
【００１２】
本発明の携帯型プリンタは、撮影レンズ及び撮像素子を備えた撮像ユニットが着脱自在に装着され、この装着に伴って前記撮像ユニットとの間で電気的に接続されるものであって、前記携帯型プリンタを把持した状態で前記撮像ユニットに設けられたレリーズボタンを操作したときに、この操作に応答して前記撮像素子により被写体画像の画像データを取得し、この画像データに基づいて前記携帯型プリンタ内に収納された記録媒体上に画像を記録する制御手段を備えたことを特徴とする。
【００１３】
本発明の撮像ユニットは、撮影レンズ及び撮像素子を備え、携帯型プリンタに着脱自在に装着することに伴って前記携帯型プリンタとの間で電気的に接続されるものであって、前記携帯型プリンタへの装着に伴って有効化されるとともに、前記携帯型プリンタを把持した状態で操作できるように配置されたレリーズボタンと、前記レリーズボタンの操作に応答して前記撮像素子により被写体画像の画像データを取得し、この画像データを前記携帯型プリンタに送信する制御手段とを備えたことを特徴とする。
【発明の効果】
【００１４】
本発明のプリントシステムは、撮影レンズ及び撮像素子を備えた撮像ユニットと、この撮像ユニットを着脱自在に装着することに伴って撮像ユニットとの間で電気的に接続される携帯型プリンタとから構成され、撮像ユニットと携帯型プリンタとのいずれか一方に設けられ、撮像ユニットの装着に伴って有効化されるとともに、携帯型プリンタを把持した状態で操作されるレリーズボタンと、レリーズボタンの操作に応答して撮像素子により画像データを取得し、この画像データに基づいて携帯型プリンタ内に収納された記録媒体上に画像を記録する制御手段とを有するので、撮像ユニットを装着しない場合には従来のようにコンパクトな携帯型プリンタとして使用することができる一方、撮像ユニットを装着した場合には携帯型プリンタをデジタル版インスタントカメラのように使用することができる。レリーズボタンの操作に応答して、取得した画像データが自動的にプリンタ側に送信され、この画像データに基づいて即座にプリントが行われることとなるため、撮影直後にすぐに写真を手にすることができる。また、携帯型プリンタを把持して撮影が行われるため、姿勢を安定させて撮影を行うことができる。
【００１５】
携帯型プリンタには撮影時に把持するためのグリップ部が設けられており、このグリップ部は、把持した状態で人差し指がレリーズボタンに届くようにして配置されているので、携帯型プリンタを確実に把持し、手ブレを防いで撮影を行うことができる。また、人差し指以外の指（例えば中指）の置き場所を確保することができることから、撮影レンズ上への指の侵入を防止することができる。
【００１６】
撮像ユニットにはファインダが設けられており、このファインダは、撮影レンズに対し、装着された撮像ユニットのグリップ部に近い側に位置するように配置されているので、グリップ部の近傍におかれる指の先端部が撮影レンズ上に侵入してしまった場合には、これをファインダを通して確認することができるため、指の写り込みによる撮影の失敗を防ぐことができる。
【００１７】
撮像ユニットには接続部が設けられ、この接続部を携帯型プリンタの被接続部に挿入することで撮像ユニットが装着されるようになっており、レリーズボタンは撮像ユニットの接続部が設けられた面とは反対側の面に設けられているので、撮影時にレリーズボタンを押圧したときに、この押圧力は接続部が被接続部に挿入する方向、つまり撮像ユニットが装着する方向に働くため、撮像ユニットを確実に装着させ続けることができる。
【００１８】
撮像ユニットの装着時に被写体側となる前面において、撮像ユニットの前面が携帯型プリンタの前面に対して突出するようにされているので、撮影時に携帯型プリンタを把持したときに指（例えば中指）の先端部は携帯型プリンタの前面に位置するが、この指の先端部は撮像ユニットの突出部位に引っ掛かって撮像ユニットの前面に移動することがないため、指が撮影レンズ上に侵入することがなく、撮影の失敗を防ぐことができる。
【００１９】
携帯型プリンタには、撮像ユニットの装着時に撮像ユニットの接続部が挿入される被接続部が設けられるとともに、この被接続部を覆う第１位置、及び被接続部を露呈する第２位置の間で移動するカバーが設けられており、このカバーは第２位置では、携帯型プリンタの被写体側となる前面に対して前方に突出するようにされているので、撮影時に携帯型プリンタを把持したときに指（例えば中指）の先端部は携帯型プリンタの前面に位置しており、指の先端部はカバーの突出部位に引っ掛かって撮像ユニットの前面に移動することがないため、指が撮影レンズ上に侵入することがなく、撮影の失敗を防ぐことができる。カバーは、第１位置と第２位置との間で、スライド移動するようにしてもよいし、回転軸を中心に回転するようにしてもよい。
【発明を実施するための最良の形態】
【００２０】
図１に示すように、本発明のプリントシステム２は、撮影機能を備えており、撮像ユニット３と、携帯型プリンタ（以下、プリンタ）４とから構成される。撮像ユニット３とプリンタ４とは共に略直方体形状であり、撮像ユニット３は必要に応じて着脱される。
【００２１】
撮像ユニット３の下面３ａにはＵＳＢコネクタ５が設けられている。このＵＳＢコネクタ５はプリンタ４の上面４ａに設けられたＵＳＢポート６に挿入することができる。ＵＳＢコネクタ５をＵＳＢポート６に挿入すると、撮像ユニット３がプリンタ４に対して固定されるとともに、撮像ユニット３とプリンタ４とが電気的に接続されデータ及び電力の授受が可能になる。
【００２２】
撮像ユニット３の上面には、上面に対して傾斜する傾斜面３ｃが形成されている。この傾斜面３ｃには、撮影時に押圧操作されるレリーズボタン１０が設けられている。レリーズボタン１０は、ＵＳＢコネクタ５が設けられた位置のほぼ反対側に位置することとなる。撮像ユニット３の前面３ｂには、レリーズボタン１０から近い側から順に、ファインダ１１の対物側窓１１ａ、撮影レンズ１２、ミラー１３が設けられている。ミラー１３は、自分自身を撮影する際に使用されるものである。撮像ユニット３の背面には、ファインダ１１の接眼側窓１１ｂが設けられている（図２参照）。
【００２３】
プリンタ４の前面４ｂにはグリップ２０が設けられている。このグリップ２０は、ゴム製であり、前方から見て左側に配置され上下方向に延びるようにして設けられている。グリップ２０は、撮像ユニット３の装着時には、レリーズボタン１０の下方に位置することとなる。プリンタ４を把持した状態で、人差し指がレリーズボタン１０に届くようにされている。なお、グリップ２０の材質及び形状は上記に限られるものではない。
【００２４】
また、プリンタ４の前面４ｂにおいて、前方から見て右側には、ＩｒＤＡ送受信部２１、電源ボタン２２、リピートボタン２３、カウンタ２４が設けられている。ＩｒＤＡ送受信部２１は、ＩｒＤＡに準拠した赤外線通信を行うことが可能であり、例えばデジタルカメラやカメラ付き携帯電話などから画像データを受信することができる。リピートボタン２３は、前回のプリントと同様のプリントを行う際に操作されるものである。カウンタ２４は、プリンタ４に収納されているインスタントフイルム２６（図２参照）の残り枚数を表示するものである。
【００２５】
図２に示すように、プリンタ４の背面には、フイルム装填室（図示せず）を開閉するフイルムドア２５が設けられている。フイルム装填室には、フイルムドア２５を開放した状態で、複数枚のインスタントフイルム２６を装填することができる。プリンタ４の下面には、プリント後のインスタントフイルム２６を排出するフイルム排出口２７が設けられている。
【００２６】
撮像ユニット３を装着したプリンタ４の要部側面図である図３に示すように、撮像ユニット３の前面３ｂがプリンタ４の前面４ｂに対して、Ｌ１だけ突出するようにされている。これにより、撮影者がプリンタ４を把持したときに、指（例えば中指）が撮像ユニット３の突出部位に引っ掛かり、この指が撮影レンズ１２のレンズ面上に侵入することを防ぐことができる。
【００２７】
プリントシステム２の電気的構成を示すブロック図である図４に示すように、撮像ユニット側において、撮影レンズ１２の後方にはＣＣＤイメージセンサ５０が配置されている。ＣＣＤイメージセンサ５０は、ＣＣＤ駆動部５１に接続されており、このＣＣＤ駆動部５１によって駆動を制御されている。ＣＣＤイメージセンサ５０は、光学的な被写体画像を電気的な撮像信号に変換して出力する。撮像信号はアンプ５３で適当なレベルに増幅された後、Ａ／Ｄ変換器５４によってデジタル変換されて画像データとなる。この画像データは、画像処理部５５に入力されて、階調変換、ホワイトバランス補正、γ補正等の各種画像処理が施される。なお、画像処理部５５はプリンタ側に設けることとしてもよい。
【００２８】
撮像ユニット用システム制御部５２では、プリンタ用システム制御部６０と交信を行いながら、撮像ユニット側の撮影処理などを管制している。撮像ユニット用システム制御部５２には、レリーズボタン１０が接続されている。レリーズボタン１０が押圧操作されたときには、画像処理が施された画像データがＵＳＢコネクタ５及びＵＳＢポート６を介してプリンタ側へ送られ、この画像データがメモリ６１に書き込まれる。
【００２９】
ＩｒＤＡ送受信部２１で赤外線通信により画像データを受信した場合にも、画像データはメモリ６１に書き込まれる。
【００３０】
プリンタ用システム制御部６０は、撮像ユニット用システム制御部５２と交信を行いながら、プリンタ側のプリント処理などを管制している。プリンタ用システム制御部６０には、電源ボタン２２、リピートボタン２３が接続されている。プリンタ用システム制御部６０では、撮像ユニット３からの画像データを受信するか、ＩｒＤＡ送受信部２１を介して画像データを受信するか、またはリピートボタン２３が操作されたときに、プリントを指示する。
【００３１】
プリンタ４には、インスタントフイルム２６を搬送する搬送機構６３が備えられ、この搬送機構６３は搬送機構駆動部６４によって制御される。搬送機構６３は、搬送ローラ及び展開ローラなどを有している。搬送ローラは、最も前面側にあるインスタントフイルム２６をフイルム排出口２７に向かって搬送する。展開ローラは、搬送されるインスタントフイルム２６を挟持することにより、インスタントフイルム２６に設けられた現像溜まりを押し潰して現像剤を展開する。
【００３２】
また、プリンタ４には、インスタントフイルム２６に画像を書き込むプリントヘッド６５が備えられ、このプリントヘッド６５はヘッド駆動部６６によって制御される。プリントヘッド６５は、Ｒ（赤）、Ｇ（緑）、Ｂ（青）の発光色を持つ３色のＬＥＤ、光ガイド、及び液晶シャッタなどを有している。３色のＬＥＤは順に発光し、各色光は光ガイドを経てインスタントフイルム２６上に導かれる。ここで、光路の途中には液晶シャッタが配置されており、この液晶シャッタにより各色光の透過量が画像データに応じて制御される。各色光が照射されたインスタントフイルム２６上には、主走査方向（インスタントフイルムの幅方向）に延びる１ライン分の潜像が記録されることとなる。インスタントフイルム２６は主走査方向に直交する副走査方向に搬送され、このインスタントフイルム２６上には順次ラインが記録されてゆく。潜像が記録された領域に現像剤が展開されると画像が顕在化する。
【００３３】
プリンタ内にはバッテリ６７が配置され、このバッテリ６７がプリンタ４の各部に電力を供給している。また、このバッテリ６７は、ＵＳＢポート６及びＵＳＢコネクタ５を介して、撮像ユニット３の各部にも電力を供給している。
【００３４】
以下、上記構成による作用を図５及び図６のフローチャートの流れに沿って説明する。ＵＳＢコネクタ５をＵＳＢポート６に挿入すると、撮像ユニット３がプリンタ４に対して固定されるとともに、撮像ユニット３とプリンタ４とが電気的に接続される。プリンタ４の電源ボタン２２を押圧操作すると、レリーズボタン１０が有効化されるとともに、撮像ユニット３の各部が駆動し、撮影が可能な状態になる。
【００３５】
図７に示すように、撮像ユニット３が装着されたプリンタ４を把持する際には、右手の中指、薬指、及び小指で前面４ｂのグリップ２０を握り、人差し指をレリーズボタン１０にのせ、親指で背面を支えるようにする。ここで、撮像ユニット３の前面３ｂがプリンタ４の前面４ｂに対して突出するようにされているため、中指が撮像ユニット３の突出部位に引っ掛かって撮像ユニット３の前面３ｂに移動することがないことから、中指が撮影レンズ１２のレンズ面上に侵入することが防止される。また、仮に中指が撮像ユニット３の前面３ｂに移動しても、撮影レンズ１２の左方にはファインダ１１が配置されており、このファインダ１１を通して中指が侵入していることに気づくことができる。
【００３６】
ファインダ１１を通して被写体が確認され、人差し指によりレリーズボタン１０が押圧操作されると、その時点における被写体画像の画像データが取得され、この画像データに画像処理が施された後にプリンタ側へ自動的に送信され、一旦メモリ６１に記録される。人差し指がレリーズボタン１０を押圧したときには、この人差し指の押圧力Ｆは傾斜面３ｃに対して垂直な方向に働く。押圧力Ｆは、撮像ユニット３の下面３ａ（プリンタ４の上面４ａ）に対して垂直な押圧力Ｆ１と、下面３ａ（上面４ａ）に対して平行な押圧力Ｆ２とに分解することができ、これらのうち押圧力Ｆ１は、ＵＳＢコネクタ５が挿入する方向に働いて撮像ユニット３の装着をより確実にするものとなる。これにより、レリーズボタン１０が操作されても、撮像ユニット３の姿勢が不安定になることはなく、撮影者は安心して撮影を続けることができる。
【００３７】
図６に示すように、装着された撮像ユニット３を用いて撮影が行われた場合には、この撮像ユニット３により取得された画像データがメモリ６１に記録され、この画像データがプリントデータとされる。また、撮像ユニット３以外の撮影機器、例えばデジタルカメラやカメラ付き携帯電話などの撮影機器から赤外線通信により画像データを受信した場合には、この画像データがメモリ６１に記録され、この画像データがプリントデータとされる。さらに、画像データを受信せずに、リピートボタン２３が操作された場合には、メモリ６１に記録されている画像データ、つまり前回のプリントで用いられたものと同様の画像データがプリントデータとされる。
【００３８】
プリンタ４では、メモリ６１に記録された画像データに基づいてプリント処理を行う。搬送機構６３が駆動してインスタントフイルム２６の搬送が開始され、このインスタントフイルム２６の搬送に合わせてプリントヘッド６５により１ラインずつ潜像が記録されてゆく。この潜像が記録された領域には搬送に合わせて現像剤が展開されて画像が顕在化されてゆき、プリント後のインスタントフイルム２６がフイルム排出口２７から排出される。レリーズボタン１０を押圧操作するだけで自動的にプリントが行われることとなり、撮影者は撮影直後にすぐに写真を手にすることができる。再びプリントを行う場合には、上記動作が繰り返される。全てのプリントを終え、電源ボタン２２を押圧操作すると、撮像ユニット３及びプリンタ４の各部の駆動が停止される。
【００３９】
なお、上記実施形態では特に記載しなかったが、図８に示すように、撮像ユニット３の上面４ａにＵＳＢポート６を保護するカバー１００を取り付けることとしてもよい。このカバー１００は、図中実線で示す保護位置（第１位置）と、二点鎖線で示す突出位置（第２位置）との間でスライド移動するものである。カバー１００は保護位置ではＵＳＢポート６を覆っており、突出位置ではＵＳＢコネクタ５の挿入が可能になるようにＵＳＢポート６を露呈する。撮像ユニット３の装着時及び装着後にはカバー１００は突出位置に移動する。図９に示すように、カバー１００は突出位置では、プリンタ４の前面４ｂに対し前方にＬ２だけ突出する。これにより、プリンタ４を把持して撮影を行う場合に、右手の中指がカバー１００の下面に引っ掛かって撮像ユニット３の前面３ｂに移動することがないことから、中指が撮影レンズ１２のレンズ面上に侵入することが防止される。なお、スライド移動するカバー１００の替わりに、回転移動するカバーを用いてもよい。図１０に示すように、カバー２００は回転軸２０１を中心にして回転自在であり、カバー１００と同様に保護位置と突出位置との間で移動する。
【００４０】
上記実施形態では、レリーズボタンを撮像ユニットに設けることとしたが、プリンタに設けることとしてもよい。また、上記実施形態では、撮像ユニットとプリンタとをＵＳＢコネクタを用いて接続することとしたが、他のコネクタを用いてもよい。また、撮像ユニットに、電気的に接続するコネクタに替えて、プリンタに機械的に取り付け可能にする取付部を設けるとともに、ＩｒＤＡ送受信部及びバッテリを設け、ＩｒＤＡ送受信部を介して画像データを送るようにしてもよい。
【図面の簡単な説明】
【００４１】
【図１】撮像ユニット及び携帯型プリンタの正面図である。
【図２】撮像ユニット及び携帯型プリンタの背面図である。
【図３】撮像ユニットを装着した携帯型プリンタの要部側面図である。
【図４】プリントシステムの電気的構成を示すブロック図である。
【図５】プリント処理の流れを示すフローチャートである。
【図６】画像データ受信動作の流れを示すフローチャートである。
【図７】撮像ユニットを装着した携帯型プリンタの使用例を説明する説明図である。
【図８】ＵＳＢポートにスライド式のカバーを設けた場合の携帯型プリンタの上面図である。
【図９】撮像ユニットを装着した携帯型プリンタの要部側面図である。
【図１０】ＵＳＢポートに回転式のカバーを設けた場合の携帯型プリンタの上面図である。
【符号の説明】
【００４２】
２  プリントシステム
３  撮像ユニット
４  携帯型プリンタ
５  ＵＳＢコネクタ
６  ＵＳＢポート
１０  レリーズボタン
１１  ファインダ
２０  グリップ
１００，２００  カバー
【図１】
2007111905.tif 000003
【図２】
2007111905.tif 000004
【図３】
2007111905.tif 000005
【図４】
2007111905.tif 000006
【図５】
2007111905.tif 000007
【図６】
2007111905.tif 000008
【図７】
2007111905.tif 000009
【図８】
2007111905.tif 000010
【図９】
2007111905.tif 000011
【図１０】
2007111905.tif 000012